(57)【特許請求の範囲】
【請求項１】
アンカーボルトとこれに螺合するナットによって基礎コンクリートに締付ける基盤と、該基盤の相対する両側に立設した一対の脚部片を備えた脚材の前記脚部片に、該脚部片間において互いに一致する透孔を横設すると共に、柱に止着手段によって止着する組付け材の、前記柱の下面に重合して脚材の前記脚部片上に載置する組付け基板に、前記脚部片間に介在させる緊締受を設け、該緊締受に、前記透孔を通じて前記脚部片間に架設する緊締杆がそれぞれ圧接する一対の傾斜受縁を上方方向に漸次互いに近接させて設けた、柱脚金物。
【発明の詳細な説明】
【０００１】
【産業上の利用分野】
本発明は、木造建物の柱を基礎コンクリートに直接（土台を介しないで）固定するために用いる柱脚金物に関するものである。
【０００２】
【従来の技術】
例えば、ＺマークやＣマークの表示金物の一つとして挙げられているものがあり、それは基礎コンクリートに埋入させるアンカー部の上端に柱の下部を嵌合して止着するＵ字形の組付け部を設けた構造のものとなっている。
【０００３】
【発明が解決しようとする課題】
前記従来例は、玄関の独立柱やバルコニーの受柱を基礎コンクリート（独立基礎）上に立設するために用いることを前提としたものであるため、通し柱や管柱を基礎コンクリートに直接固定するには土台との取合いや基礎コンクリートの構築上不都合があるため、前記通し柱等に適用でき、固定強度の要求を満足させる、斬新な構造の柱脚金物が望まれている。
【０００４】
本発明は、この要求に答えるものの一つとして提案するものである。
【０００５】
【課題を解決するための手段】
アンカーボルトとこれに螺合するナットによって基礎コンクリートに締付ける基盤と、該基盤の相対する両側に立設した一対の脚部片を備えた脚材の前記脚部片に、該脚部片間において互いに一致する透孔を横設すると共に、柱に止着手段によって止着する組付け材の、前記柱の下面に重合して脚材の前記脚部片上に載置する組付け基板に、前記脚部片間に介在させる緊締受を設け、該緊締受に、前記透孔を通じて前記脚部片間に架設する緊締杆がそれぞれ圧接する一対の傾斜受縁を上方方向に漸次互いに近接させて設けた構成とするのである。
【０００６】
【作用】
基礎コンクリートに立設したアンカーボルトとこれに螺合するナットによって脚材を基盤において基礎コンクリートに締付け固定する一方、柱に止着手段によって止着した組付け材の柱の下面に重合した組付け基板を、脚材の脚部片上に載置して該脚部片間に緊締受を介在させるようにして柱を前記脚材を介して基礎コンクリート上に起立させ、脚部片に設けた透孔を通じて緊締杆を打込むと、該緊締杆は前記緊締受に備えた傾斜受縁に圧接し、傾斜受縁のテーパ形状によって柱を伴って組付け材を引き寄せつつ脚部片間に架設され、柱は基礎コンクリートに立設状態で固定される。
【０００７】
【実施例】
図面は本発明に係る柱脚金物の一実施例を示し、図１は使用状態の縦断面図、図２は図１の縦断面図、図３は分解斜視図である。
【０００８】
実施例の柱脚金物は、脚材Ａと組付材Ｂを互いに組付けるようにして柱ｐを基礎コンクリートｃ上に立設固定するものであって、脚材Ａは、基盤１の両側に脚部片２，２を相対して立設し、脚部片２の上端に前記基盤１の直上に位置する上部片３を連設して上部片３，３間に細隙４を設けた平面視方形立方体で構成したもので、脚部片２の上部側には、該脚部片２，２間においては互いに一致する一対一組とする透孔５，５を二組設け、基盤１の中央部位には窓孔６を設けたものである。
【０００９】
細隙４の中央部は大径部４ａと成し、該大径部４ａを通じて工具を脚材Ａ内に挿入して窓孔６より突出するアンカーボルト７に螺合した締付けナット８の締付け操作を行えるようにしてある。
【００１０】
また、脚材Ａは、基礎コンクリートｃにアンカー部を埋入させて立設したアンカーボルト７の先端側の螺子部（上端）７´を窓孔６に貫通させて組合わせるようにして基礎コンクリートｃに載置し、前記螺子部７´に前記締付けナット８を座金１９を介して螺合して締付け基礎コンクリートｃに基盤１において固定して用いるのである。
【００１１】
なお、窓孔６は、アンカーボルト７の螺子部７´を貫通できる大きさの径であれば充分ではあるが、適宜の形状に、また、適宜の大きさの径にすることによりアンカーボルト７の施工誤差を吸収することができる。
【００１２】
前記組付け材Ｂは、脚材Ａの平面視方形（柱の断面方形）状と一致する組付け基板１０の上面中央に嵌挿杆１１を立設し、下面に前記一対二組の透孔５，５、５，５の各組に対応するようにして一対の緊締受１２，１２を設けて構成する。
【００１３】
嵌挿杆１１は中間部の適所に前記柱ｐに設けた貫通孔１３と一致するようにして透孔１４を設けたもので、また、緊締受１２は組付け基板１０側の基部を細径部１２ａ、先端側を大径部１２ｂと成し、これら細径部１２ａと大径部１２ｂとの間に、前記組付け基板１０方向すなわち上方方向に漸次互いに近接する傾斜受縁１６，１６´を設け、傾斜受縁１６，１６´は、前記細径部１２ａと大径部１２ｂ間に介在させた円錐台部の一部で構成したものである。
【００１４】
また、実施例の緊締受１２は、頭部に隣接する根部をボルト先端方向に漸次縮径する円錐台形状としたボルトの中間部を切断して頭部側を前記組付け基板１０に熔接して構成したもので、実施例の形状に限定する必要はないし、単一なものでも良い（従って、透孔１４は一対のみとなる）。
【００１５】
前記組付け材Ｂは、柱ｐの下端面を開口して設けた嵌合穴１７に嵌挿杆１１を嵌挿して組付け基板１０を柱ｐの下端面に重ね合わせ、嵌合穴１７に連通させて柱ｐに設けた前記貫通孔１３を通じて透孔１４にドリフトピン１８を嵌挿、打込むことにより柱ｐに組付けられ、この組付けた状態のまま、緊締受１２の細径部１２ａを細隙４に横方向から係合するようにして緊締受１２を脚材Ａの脚部片２，２間に介在させ、脚部片２の透孔５を通じて緊締杆９を脚材Ａ内に打込むと、緊締杆９は緊締受１２に備えた傾斜受縁１６，１６´に圧接し、該傾斜受縁１６，１６´のテーパ形状によって柱ｐを伴う組付け材Ｂを引き寄せつつ、脚部片２，２間に架設され、柱ｐを基礎コンクリートｃ上に立設状態で固定することになる。
【００１６】
なお、細隙４部は、緊締受１２の細径部１２ａの径とその隙間幅が一致していることが望ましく、脚材Ａの上部片３の細隙４側の縁部が細径部１２ａに接することにより緊締受１２すなわち柱ｐの緊締杆９の長手方向に沿う移動が尚一層規制できる。もっとも、緊締杆９を脚部片２，２杆に架設する際に、該緊締杆９が傾斜受縁１６，１６´に圧接する位置関係にしてあるから、脚材Ａと組付け材Ｂは互いに確実に固定することができ、細隙４すなわち上部片３は省略しても不都合はない。
【００１７】
緊締杆９と傾斜受縁１６の圧接関係による脚材Ａと組付け材Ｂとの固定関係が維持されるのであれば、実施例の符号１６´で示す傾斜受け縁に接する緊締杆９は省略しても良い。
【００１８】
図示２１は、基礎パッキン（スペーサ）で、このパッキンを土台ｍと基礎コンクリートｃとの間に介在させることにより、該パッキン２１の介在していないところでは土台ｍと基礎コンクリートｃとの間で隙間が生じて床下と屋外との通気路が形成される。実施例では、柱ｐ直下にもこのパッキン２１を配してあるが、省略しても良いことはもちろんである。
【００１９】
組付け基板１０、脚材Ａ及び柱ｐは、互いに同じ大きさの方形にしたのは、壁や床面の施工が円滑に行えるからで、脚材Ａの側面を開口してあるのは、締付けナット８の必要に応じた増締めを行うためである。
【００２０】
【発明の効果】
本発明は、前記の通りの構成であるから、柱を基礎コンクリートに直接固定することのできる柱脚金物を提供でき、該柱脚金物は、基礎コンクリート側と柱側のそれぞれに予め取付けておくものの２部材より成り、該２部材を組付けて基礎コンクリートに柱を立設する状態を得るものであるから、管柱や通し柱の柱脚金物として施工作業上能率的な製品を提供できる。
【図面の簡単な説明】
【図１】使用状態の縦断面図。
【図２】図１の縦断面図。
【図３】分解斜視図。
【符号の説明】
Ａ      脚材
Ｂ      組付け材
１      基盤
２      脚部片
５      透孔
７      アンカーボルト
８      ナット
９      緊締杆
１２    緊締受
１６    傾斜受縁
【図１】
0003673204.tif 000002
【図２】
0003673204.tif 000003
【図３】
0003673204.tif 000004